【手続補正書】
【提出日】平成29年12月11日(2017.12.11)
【手続補正１】
【補正対象書類名】明細書
【補正対象項目名】０１３７
【補正方法】変更
【補正の内容】
【０１３７】
アイテム２８は、アイテム２４〜２７に記載の方法であって、前記提供することは、高温で前記ポリマー組成物を共押出しすることを含み、前記加熱することは、該共押出しすることの結果として、少なくとも部分的に達成される、方法。本発明の実施態様の一部を以下の項目［１］−［２８］に記載する。
［項目１］
ポリマー層の積層体を備え、該ポリマー層は、層パケットに編成され、該層パケットの各々は、該ポリマー層のうち少なくとも２つを有するフィルムであって、
隣接する層パケット間の付着は、該層パケットが前記積層体の残部から個別に不可逆的に離層できる程度に弱く、該積層体は、かかる層パケット間のかかる不可逆的な離層を促進するように構成され、
前記ポリマー層の積層体中の該ポリマー層は全て、互いに共押出し可能なそれぞれのポリマー組成物を有し、
前記フィルムは、自己支持型の輪郭付けされた形状を有する、フィルム。
［項目２］
前記輪郭付けされた形状は、第１の横断平面においては湾曲しているが、該第１の横断平面に垂直な第２の横断平面においては湾曲していない領域を含む、項目１に記載のフィルム。
［項目３］
前記輪郭付けされた形状は、第１の横断平面において湾曲し、かつ該第１の横断平面に垂直な第２の横断平面においても湾曲している領域を含む、項目１に記載のフィルム。
［項目４］
前記積層体は、前記積層体中の隣接する層パケットの全ての対において、前記層パケット間の付着が前記層パケット内部の前記ポリマー層間の付着より弱く、これにより不可逆的な離層が前記層パケット内部ではなく前記層パケット間で生じやすくなるように構成されている、項目１に記載のフィルム。
［項目５］
隣接する層パケット間の付着は、第１の剥離力により特徴付けられ、各層パケット内部のポリマー層の最も弱い付着は、第２の剥離力により特徴付けられ、該第２の剥離力は、該第１の剥離力の少なくとも２倍である、項目４に記載のフィルム。
［項目６］
任意の２つの隣接する層パケット間の付着は、剥離力が２〜１００グラム／インチ（０．８〜３８．６Ｎ／ｍ）の範囲であることにより特徴付けられる、項目１に記載のフィルム。
［項目７］
前記ポリマー層は、ＡＢの順序の反復により配置されている、項目１に記載のフィルム。
［項目８］
前記ポリマー層は、ＡＢＣの順序の反復により配置されている、項目１に記載のフィルム。
［項目９］
ポリマー層Ａとポリマー層Ｃとの間の付着は、ポリマー層Ａとポリマー層Ｂとの間の付着より弱く、かつポリマー層Ｂとポリマー層Ｃとの間の付着より弱い、項目８に記載のフィルム。
［項目１０］
前記ポリマー層の積層体中の前記ポリマー層は全て、２０４℃（４００°Ｆ）又はそれよりも高い溶融温度にて溶融加工可能なそれぞれのポリマー組成物を有する、項目１に記載のフィルム。
［項目１１］
前記積層体中の前記ポリマー層のうち少なくとも幾つかは、配向され、少なくとも０．０５の複屈折を有する、項目１に記載のフィルム。
［項目１２］
隣接する層パケットの境界面に配設されている前記ポリマー層はいずれも、室温で粘着性を持たない、項目１に記載のフィルム。
［項目１３］
前記積層体中の前記層パケットの各々の厚さは、２ミル（５０マイクロメートル）以下である、項目１に記載のフィルム。
［項目１４］
前記ポリマー層は、少なくともＮ個の層パケットに編成され、Ｎは、少なくとも５である、項目１に記載のフィルム。
［項目１５］
Ｎは、少なくとも１０であり、前記フィルムの全厚は、１５ミル（３８０マイクロメートル）以下である、項目１４に記載のフィルム。
［項目１６］
輪郭付けされた表面を含む物品と、
該物品に装着された項目１に記載のフィルムと、を含む、組み合わせであって、前記フィルムの前記輪郭付けされた形状は、前記物品の前記輪郭付けされた表面と嵌合する、組み合わせ。
［項目１７］
前記物品は、ディスプレイ表面を有するディスプレイを含み、該ディスプレイ表面は、前記輪郭付けされた表面の一部である、項目１６に記載の組み合わせ。
［項目１８］
前記物品は、可動表面を有する部品を含み、該可動表面は、前記輪郭付けされた表面の一部であり、前記フィルムは、該可動表面と嵌合し、かつ該部品の動きに順応するように屈曲する、項目１６に記載の組み合わせ。
［項目１９］
前記ポリマー層の積層体は、可視波長での平均透過率が少なくとも８０％であり、光学ヘイズが１５％未満である、項目１に記載のフィルム。
［項目２０］
前記ポリマー層の積層体は、光学ヘイズが８％未満である、項目１９に記載のフィルム。
［項目２１］
前記積層体は、隣接する層パケット間の境界面へのアクセスを提供するアクセスタブを備えて構成されている、項目１に記載のフィルム。
［項目２２］
前記アクセスタブは、深度の異なる一連のキスカット孔によって画定されている、項目２１に記載のフィルム。
［項目２３］
前記ポリマー層の積層体は、前記フィルム内に存在する層パケット数を示すマーキングを含む、項目１に記載のフィルム。
［項目２４］
ポリマー層の積層体を備える多層ポリマーフィルムを提供することであって、該ポリマー層は、層パケットに編成され、該層パケットの各々は、該ポリマー層のうち少なくとも２つを有し、隣接する層パケット間の付着は、該層パケットが前記積層体の残部から個別に不可逆的に離層できる程度に弱く、前記ポリマー層の積層体中の該ポリマー層は全て、互いに共押出し可能なそれぞれのポリマー組成物を有する、ことと、
輪郭付けされた被加工物表面を有する被加工物を提供することと、
前記多層ポリマーフィルムを加熱することと、
該加熱された多層ポリマーフィルムを前記輪郭付けされた被加工物表面に押し当てて成型して、該輪郭付けされた被加工物表面と嵌合する輪郭付けされた形状に該フィルムを変形させることと、
該輪郭付けされた形状を有するフィルムが自己支持型となるように該フィルムを冷却することと、を含む、方法。
［項目２５］
前記それぞれのポリマー組成物は、それぞれのガラス転移温度を有し、前記加熱することは、少なくとも１つのかかるガラス転移温度超で前記フィルムを加熱することを含む、項目２４に記載の方法。
［項目２６］
前記成型したフィルムを前記被加工物から分離することを更に含む、項目２４に記載の方法。
［項目２７］
前記多層ポリマーフィルム内の層パケットの前記個別的で不可逆的な離層性は、前記加熱、成型、及び冷却の処置の後も実質的に維持されている、項目２４に記載の方法。
［項目２８］
前記提供することは、高温で前記ポリマー組成物を共押出しすることを含み、前記加熱することは、該共押出しすることの結果として、少なくとも部分的に達成される、項目２４に記載の方法。
【手続補正２】
【補正対象書類名】特許請求の範囲
【補正対象項目名】全文
【補正方法】変更
【補正の内容】
【特許請求の範囲】
【請求項１】
ポリマー層の積層体を備え、該ポリマー層は、層パケットに編成され、該層パケットの各々は、該ポリマー層のうち少なくとも２つを有するフィルムであって、
隣接する層パケット間の付着は、該層パケットが前記積層体の残部から個別に不可逆的に離層できる程度に弱く、該積層体は、かかる層パケット間のかかる不可逆的な離層を促進するように構成され、
前記ポリマー層の積層体中の該ポリマー層は全て、互いに共押出し可能なそれぞれのポリマー組成物を有し、
前記フィルムは、自己支持型の輪郭付けされた形状を有する、フィルム。
【請求項２】
前記積層体は、前記積層体中の隣接する層パケットの全ての対において、前記層パケット間の付着が前記層パケット内部の前記ポリマー層間の付着より弱く、これにより不可逆的な離層が前記層パケット内部ではなく前記層パケット間で生じやすくなるように構成されている、請求項１に記載のフィルム。
【請求項３】
前記積層体中の前記ポリマー層のうち少なくとも幾つかは、配向され、少なくとも０．０５の複屈折を有する、請求項１に記載のフィルム。